(57)【要約】【課題】歩くだけで足裏の角質を簡単且つ確実に除去することができるのと同時に足裏のケアを行うことを可能にした角質を除去する履物、角質を除去する中敷又は角質を除去する靴下を提供する。【解決手段】足裏の踵部に接する履物（ヘップ）１０の中底１１の踵部１２の領域に、角質化した皮膚の除去を助けるための摩擦部１３を形成し、摩擦部１３は研磨材と消毒材を混入した材質から構成されている。また、消毒材がウコンの粉状物又は粒状物であることを特徴とする。【選択図】  図１
2008289871.tif 000002
【特許請求の範囲】
【請求項１】
足裏の踵部に接する履物中底の領域に、角質化した皮膚の除去を助けるための摩擦部を形成し、前記摩擦部は研磨材と消毒材を混入した材質から構成されていることを特徴とする角質を除去する履物。
【請求項２】
足裏の踵部に接する履物中底の領域に、角質化した皮膚の除去を助けるための摩擦部を形成し、前記摩擦部は研磨布に消毒材を含浸させたものからなり前記領域に接着材により接着されていることを特徴とする角質を除去する履物。
【請求項３】
足裏の踵部に装着する部分中敷の表面の領域に、角質化した皮膚の除去を助けるための摩擦部を形成し、前記摩擦部は研磨布に消毒材を含浸させたものからなり前記領域に接着材により接着されていることを特徴とする角質を除去する装着型部分中敷。
【請求項４】
足裏の踵部に接する靴下内低部の領域に、角質化した皮膚の除去を助けるための摩擦部を形成し、前記摩擦部は研磨材と消毒材を混入した材質から構成されていることを特徴とする角質を除去する靴下。
【請求項５】
請求項４に記載の靴下の外側面に滑り止め加工を施したことを特徴とする角質を除去する靴下。
【請求項６】
前記消毒材がウコンの粉状物又は粒状物であることを特徴とする請求項１乃至請求項５のいずれか１項に記載の角質を除去する履物、角質を除去する装着型部分中敷又は角質を除去する靴下。
【発明の詳細な説明】
【技術分野】
【０００１】
本発明は、歩くだけで足裏の角質を簡単且つ確実に除去することができるのと同時に足裏のケアを行うことを可能にした履物、中敷及び靴下に関するものである。
【背景技術】
【０００２】
角質化した皮膚の除去手段を備えた靴下としては、特開２０００−１１０００４号公報（特許文献１）に示す先行技術が存在する。この靴下は、履いて動くことにより自然に角質が除去されることを課題とし、摩擦部に研磨剤（トルマリンの粉末）と保湿剤が付着している構成を採用している。しかしながら、摩擦部に保湿剤を使用した場合、研磨剤による角質除去効果が減少することが明らかであることから、実効性に欠けるものといえる。
【０００３】
一方、角質化した皮膚の除去手段を備えた履物及び中敷としては、実用新案登録第３１１０３６０号公報（特許文献２）に示す先行技術が存在する。この履物及び中敷は、歩行可能な人なら誰でも簡単に足裏の角質を除去できることを課題とし、表面材にシルク（絹）サテンを使用する構成を採用している。しかしながら、長期間の使用が必要であるばかりでなく、どの程度の角質除去効果が得られるのか不明である。
【０００４】
【特許文献１】特開２０００−１１０００４号公報
【特許文献２】実用新案登録第３１１０３６０号公報
【発明の開示】
【発明が解決しようとする課題】
【０００５】
そこで、本発明は、上記先行技術には開示されていない研磨材と消毒材を混入した材質又は研磨布に消毒材を含浸させたものを摩擦部に採用することにより、歩くだけで足裏の角質を簡単且つ確実に除去することができるのと同時に足裏のケアを行うことを可能にした履物、中敷及び靴下を提供することを目的とする。
【課題を解決するための手段】
【０００６】
上記課題を解決するために、請求項１に記載の発明は、足裏の踵部に接する履物中底の領域に、角質化した皮膚の除去を助けるための摩擦部を形成し、前記摩擦部は研磨材と消毒材を混入した材質から構成されていることを特徴とする。
【０００７】
また、請求項２に記載の発明は、足裏の踵部に接する履物中底の領域に、角質化した皮膚の除去を助けるための摩擦部を形成し、前記摩擦部は研磨布に消毒材を含浸させたものからなり前記領域に接着材により接着されていることを特徴とする。
【０００８】
また、請求項３に記載の発明は、足裏の踵部に装着する部分中敷の表面の領域に、角質化した皮膚の除去を助けるための摩擦部を形成し、前記摩擦部は研磨布に消毒材を含浸させたものからなり前記領域に接着材により接着されていることを特徴とする。
【０００９】
また、請求項４に記載の発明は、足裏の踵部に接する靴下内低部の領域に、角質化した皮膚の除去を助けるための摩擦部を形成し、前記摩擦部は研磨材と消毒材を混入した材質から構成されていることを特徴とする。
【００１０】
また、請求項５に記載の発明は、請求項４に記載の靴下の外側面に滑り止め加工を施したことを特徴とする。
【００１１】
また、請求項６に記載の発明は、請求項１乃至請求項５のいずれか１項に記載の消毒材がウコンの粉状物又は粒状物であることを特徴とする。
【発明の効果】
【００１２】
以上のように、本発明によれば、研磨材と消毒材（ウコンの粉状物又は粒状物）を混入した材質から構成される摩擦部を形成し又は研磨布に消毒材（ウコンの粉状物又は粒状物）を含浸させたものからなり接着材により接着して摩擦部を形成することにより、歩くだけで足裏の角質を簡単且つ確実に除去することができるのと同時に足裏のケアを行うことを可能になり、従来よりも実効性を有する角質を除去する履物、角質を除去する中敷、角質を除去する靴下のそれぞれについての商品化を実現することができる。
【発明を実施するための最良の形態】
【００１３】
以下、本発明の実施の一形態について、図面を参酌しながら説明する。
【００１４】
（第１実施例）角質を除去する履物
図１は本発明にかかる角質を除去する履物（ヘップ）を横方向から見た図、図２は履物（ヘップ）を上方向から見た図、図３は履物（ヘップ）を後方向から見た図である。
図１〜図３に示すように、履物（ヘップ）１０の中底１１の踵部１２の領域には、角質化した皮膚の除去を助けるための摩擦部１３が形成されている。踵部１２の形状は、角質除去効果を高めるため足裏の踵部が常時滑り込む様に傾斜面を形成しておくことが好ましい。
摩擦部１３は、研磨材と消毒材を混入した材質から構成されており、接着材（例えば、硬質性エポキシ樹脂等）を使用して踵部１２に固着される。研磨材の種類については特に限定されるものではない。本実施例は、歩くだけで足裏の角質を簡単且つ確実に除去することができるのと同時に足裏のケアを行うことを可能にするため、研磨材と消毒材を混入した材質を採用した点が特徴となる。ここで、消毒材の種類については、肌の消毒作用や殺菌作用があることが認められているウコンの粉状物又は粒状物を採用することが最適である。なお、研磨材と消毒材の配合は、研磨材に比べて消毒材の量が１０分の１程度又はそれ以下になるように調整しておくことが好ましい。
以上のように、本発明によれば、研磨材と消毒材（ウコンの粉状物又は粒状物）を混入した材質から構成される摩擦部を形成することにより、歩くだけで足裏の角質を簡単且つ確実に除去することができるのと同時に足裏のケアを行うことを可能になり、従来よりも実効性を有する角質を除去する履物についての商品化を実現することができる。
【００１５】
（第２実施例）角質を除去する履物
履物（ヘップ）の中底の踵部の領域には、角質化した皮膚の除去を助けるための摩擦部が形成され、摩擦部は研磨布に消毒材を含浸させたものからなり接着材により接着されて履物（ヘップ）の中底の踵部に固着される。本実施例は、歩くだけで足裏の角質を簡単且つ確実に除去することができるのと同時に足裏のケアを行うことを可能にするため、研磨布に消毒材を含浸させる点が特徴となる。ここで、消毒材の種類については、上述した第１実施例と同様に肌の消毒作用や殺菌作用があることが認められているウコンを採用することが最適であり、ウコンの粉状物又は粒状物を溶かした液に研磨布を浸けてウコンを含浸させる方法を採用することができる。
以上のように、本発明によれば、研磨布に消毒材（ウコンの粉状物又は粒状物）を含浸させたものからなり接着材により接着して摩擦部を形成することにより、歩くだけで足裏の角質を簡単且つ確実に除去することができるのと同時に足裏のケアを行うことを可能になり、従来よりも実効性を有する角質を除去する履物についての商品化を実現することができる。
【００１６】
（第３実施例）角質を除去する中敷
図４は本発明にかかる角質を除去する中敷を上方向から見た図、図５は中敷を横方向から見た図である。
図４〜図５に示すように、中敷２０の表面２１の踵部２２の領域には、角質化した皮膚の除去を助けるための摩擦部２３が形成されている。中敷２０足指先側の先端部分は、使用する人の足の大きさに応じて切り取り可能にしておくことが好ましい。
摩擦部２３は、上述した第１実施例と同様に研磨材と消毒材を混入した材質から構成されており、接着材（例えば、硬質性エポキシ樹脂等）を使用して踵部２２に固着される。研磨材の種類については特に限定されるものではない。本実施例は、歩くだけで足裏の角質を簡単且つ確実に除去することができるのと同時に足裏のケアを行うことを可能にするため、上述した第１実施例と同様に研磨材と消毒材を混入した材質を採用した点が特徴となる。ここで、消毒材の種類については、上述した第１実施例と同様に肌の消毒作用や殺菌作用があることが認められているウコンの粉状物又は粒状物を採用することが最適である。なお、研磨材と消毒材の配合は、研磨材に比べて消毒材の量が１０分の１程度又はそれ以下になるように調整しておくことが好ましい。
以上のように、本発明によれば、研磨材と消毒材（ウコンの粉状物又は粒状物）を混入した材質から構成される摩擦部を形成することにより、歩くだけで足裏の角質を簡単且つ確実に除去することができるのと同時に足裏のケアを行うことを可能になり、従来よりも実効性を有する角質を除去する中敷についての商品化を実現することができる。
【００１７】
（第４実施例）角質を除去する装着型部分中敷
図９は本発明にかかる角質を除去する装着型部分中敷の斜視図、図１０は装着した状態を示す図である。
図９に示すように、足裏の踵部に装着する部分中敷４０は、装着時に踵部に接触する折り曲げ部４１ａ、４１ｂ、４１ｃを有するポリエステル系スポンジ４１の表面に、角質化した皮膚の除去を助けるための摩擦部４２が形成されている。
摩擦部４２は、研磨布に消毒材を含浸させたものからなり接着材により接着されてポリエステル系スポンジ４１の表面に固着される。本実施例は、歩くだけで足裏の角質を簡単且つ確実に除去することができるのと同時に足裏のケアを行うことを可能にするため、上述した第１実施例と同様に研磨布に消毒材を含浸させる点が特徴となる。ここで、消毒材の種類については、上述した第１実施例と同様に肌の消毒作用や殺菌作用があることが認められているウコンを採用することが最適であり、ウコンの粉状物又は粒状物を溶かした液に研磨布を浸けてウコンを含浸させる方法を採用することができる。
以上のように、本発明によれば、研磨布に消毒材（ウコンの粉状物又は粒状物）を含浸させたものからなり接着材により接着して摩擦部を形成することにより、歩くだけで足裏の角質を簡単且つ確実に除去することができるのと同時に足裏のケアを行うことを可能になり、従来よりも実効性を有する角質を除去する装着型部分中敷についての商品化を実現することができる。
【００１８】
（第５実施例）角質を除去する靴下
図６は本発明にかかる角質を除去する靴下を横方向から見た図、図７は靴下を上方向から見た図、図８は靴下を後方向から見た図である。
図６〜図８に示すように、靴下３０の内低部３１の踵部３２の領域には、後述する接着材が靴下の生地に浸透しないように塩化ビニール等による固着層を設けた上に角質化した皮膚の除去を助けるための摩擦部３３が形成されている。
摩擦部３３は、上述した第１実施例及び第３実施例と同様に研磨材と消毒材を混入した材質から構成されており、接着材（例えば、硬質性エポキシ樹脂等）を使用して踵部３２（塩化ビニール等による固着層の上）に固着される。研磨材の種類については特に限定されるものではない。本実施例は、歩くだけで足裏の角質を簡単且つ確実に除去することができるのと同時に足裏のケアを行うことを可能にするため、上述した第１実施例及び第３実施例と同様に研磨材と消毒材を混入した材質を採用した点が特徴となる。ここで、消毒材の種類については、上述した第１実施例及び第３実施例と同様に肌の消毒作用や殺菌作用があることが認められているウコンの粉状物又は粒状物を採用することが最適である。なお、研磨材と消毒材の配合は、研磨材に比べて消毒材の量が１０分の１程度又はそれ以下になるように調整しておくことが好ましい。
以上のように、本発明によれば、研磨材と消毒材（ウコンの粉状物又は粒状物）を混入した材質から構成される摩擦部を形成することにより、歩くだけで足裏の角質を簡単且つ確実に除去することができるのと同時に足裏のケアを行うことを可能になり、従来よりも実効性を有する角質を除去する靴下についての商品化を実現することができる。また、角質を除去する靴下の外側面には、図１１及び図１２に示すような多数の凸部３４を形成して滑り止め加工を施してもよい。
【図面の簡単な説明】
【００１９】
【図１】本発明にかかる角質を除去する履物（ヘップ）を横方向から見た図である。
【図２】図１に示す履物（ヘップ）を上方向から見た図である。
【図３】図１に示す履物（ヘップ）を後方向から見た図である。
【図４】本発明にかかる角質を除去する中敷を上方向から見た図である。
【図５】図４に示す中敷を横方向から見た図である。
【図６】本発明にかかる角質を除去する靴下を横方向から見た図である。
【図７】図６に示す靴下を上方向から見た図である。
【図８】図６に示す靴下を後方向から見た図である。
【図９】本発明にかかる角質を除去する装着型部分中敷の斜視図である。
【図１０】図９に示す装着型部分中敷を装着した状態を示す図である。
【図１１】角質を除去する靴下（変形例）を横方向から見た図である。
【図１２】図１１に示す靴下（変形例）を後方向から見た図である。
【符号の説明】
【００２０】
１０  履物（ヘップ）
１１  中底
１２  踵部
１３  摩擦部
２０  中敷
２１  表面
２２  踵部
２３  摩擦部
３０  靴下
３１  内低部
３２  踵部
３３  摩擦部
３４  凸部
４０  装着型部分中敷
４１  スポンジ
４２  摩擦部
【図１】
2008289871.tif 000003
【図２】
2008289871.tif 000004
【図３】
2008289871.tif 000005
【図４】
2008289871.tif 000006
【図５】
2008289871.tif 000007
【図６】
2008289871.tif 000008
【図７】
2008289871.tif 000009
【図８】
2008289871.tif 000010
【図９】
2008289871.tif 000011
【図１０】
2008289871.tif 000012
【図１１】
2008289871.tif 000013
【図１２】
2008289871.tif 000014